(57)【要約】【課題】掘削ハンマーのハンマーカバーの内部に充填した消音材で吸音することで、掘削工事中の掘削ハンマーから出る掘削音を吸収可能とする。【解決手段】パイプ状のハンマーカバー4の内部に消音材５を充填してなる消音掘削ハンマーであって、前記消音材として綿を充填し、ハンマーカバーに充填した綿には水分を含ませてあって、バイブレーション装置３から振動が外部に伝わるのを防止し、掘削音を吸収して、生活環境への負荷を軽減する。【選択図】図１
0003136168.tif 000002
【実用新案登録請求の範囲】
【請求項１】
パイプ状のハンマーカバー4の内部にバイブレーション装置の振動により発生する掘削音を吸収するための消音材５を充填して掘削ハンマーのバイブレーション装置３を消音材で覆ってなる消音掘削ハンマー。
【請求項２】
請求項１に記載の消音材として綿をハンマーカバー４の内部に充填したことを特徴とする消音掘削ハンマー。
【請求項３】
請求項２に記載の消音材として充填する綿には水分を吸収させてあるものをハンマーカバー４の内部に充填したことを特徴とする消音掘削ハンマー。
【考案の詳細な説明】
【技術分野】
【０００１】
本考案は、掘削ハンマーを振動させるバイブレーション装置により発生する、不快な反響音を出さず、高い掘削音を低く抑えることができる消音掘削ハンマーに関するものである。
【背景技術】
【０００２】
掘削ハンマーのバイブレーション装置は、ハンマー軸に装着され掘削用の刃に上下振動を与えて岩盤を砕いて掘り進むことができる。このために、岩盤の掘削に伴う掘削音は、掘削ハンマーで掘削工事をする上においては避けることができない課題である。掘削ハンマーには、その構造に不可欠の装置として、掘削用の刃に上下振動を与えて岩盤を掘り進むためのバイブレーション装置が設けられている。このバイブレーション装置のある掘削ハンマーで岩盤を掘り下げる掘削工事を行う場合には、掘削用の刃の上下振動により岩盤を砕くときに生じる掘削音は、われわれにとっては日常の生活上でかん高い音を周囲に撒き散らすことになっている。
このために所定の位置に掘削ハンマーで岩盤を掘削する場合には、パイプ状のハンマーカバーで掘削ハンマーの周囲を覆って掘削音が周囲に広がらないように配慮して、バイブレーション装置で振動を与えて掘削用の刃で岩盤を堀下げるようにしているが、ハンマーカバーの内部で刃の上下振動により岩盤を砕く掘削音は更に不快なかん高い金属的な反響音となっている。
【０００３】
しかし、掘削工事を行う周囲の環境に配慮して、バイブレーション装置の振動で掘削用の刃を上下振動させて岩盤を砕いて掘り進む場合には、刃が岩盤を砕く掘削音を外部に漏らし難くするために、ハンマーカバーの内部で十分に掘削音を吸音する効果を確保する必要がある。通常の場合には、金属製のパイプ状のハンマーカバーの内部で掘削用の刃が岩盤を砕く掘削音の遮蔽をする場合に、掘削音がハンマーカバー内の空間で反響して更にかん高い金属的な反響音となって外部に漏れ出ることを抑えることはできないという欠点があった。
【０００４】
生活環境内で所定の位置を掘削する用途において、この欠点は掘削ハンマーの使用に関して大きな障害である。具体的には、この改善策として、ハンマーカバーで掘削ハンマーを覆って使用中のバイブレーションの振動音と刃による掘削音を小さくする方法がある。掘削時間により寝静まる夜間とか、工事現場の近所に病人や子供が居るように閑静な環境が求められているところで工事を行う場合は、特に掘削音を小さくする方法を行う慎重な配慮が必要になる。このような理由で掘削ハンマーにハンマーカバーを装着して、バイブレーションの振動で生じる刃の掘削音を小さく押さえて掘削する必要があった。
【０００５】
従来の特許文献を示す。
【特許文献１】特開平−３１１２３６号公報
【特許文献２】実開平５−７３０９５号公報
【考案の開示】
【考案が解決しようとする課題】
【０００６】
解決しようとする問題点は、掘削ハンマーを用いて掘削する工事において金属製のパイプ状のハンマーカバーだけでは生活環境の障害となるかん高い金属的な反響音を十分に遮蔽できない点である。
【課題を解決するための手段】
【０００７】
本考案は、掘削ハンマーから出る掘削音を常にハンマーカバーで遮蔽可能とするため、ハンマーカバーの内部に充填した消音材でかん高い金属音を吸収して、掘削音がハンマーカバーの外部に漏れ出ないように遮蔽することを最も主要な特徴とする。消音材としては、綿に水分を含ませてハンマーカバー内部に充填して、バイブレーション装置の周囲を覆ってある水分を含む綿で吸音してかん高い金属音がハンマーカバーの外部に漏れ出ないように遮蔽することが最も好ましい効果が得られる。
【考案の効果】
【０００８】
本考案の消音掘削ハンマーは、掘削時に掘削ハンマーから出るかん高い金属的な反響音をハンマーカバーの内部に充填した掘削音を吸収可能な材質の消音材でバイブレーション装置を覆ってあって、前記消音材として最良の効果が水分を含ませた綿を金属内面に密着させて掘削音を吸収して吸音遮蔽する場合に得られる。消音材により、かん高い金属的な反響を吸収して外部に漏れ出ないように低く抑えられるという利点がある。
【考案を実施するための最良の形態】
【０００９】
掘削時には生活環境に配慮したできるだけ低い掘削音で岩盤を掘削するという目的を、ハンマーカバーの内部に充填した水分を含ませた綿で、かん高い金属音を吸収して実現した。消音材は、綿に限らない。
【実施例１】
【００１０】
図１は、本考案装置の１実施例の断面図であって、１は掘削ハンマー、２はハンマー軸の先端部に設けた掘削用の刃、３は掘削用の刃を上下に震動して岩盤を掘削するバイブレーション装置、４はハンマーカバー、５はハンマーカバーの内部に充填した消音材５（最も好ましい例として水分を含ませた綿）である。
【００１１】
本考案の消音掘削ハンマーは、掘削ハンマー１に被せたパイプ状のハンマーカバー4の内部空間に消音材５を充填するものである。バイブレーション装置３の振動によって掘削用の刃２を上下振動して岩盤を掘削する掘削音を吸収するための消音材５をハンマーカバー内部空間に充填して、掘削ハンマーのバイブレーション装置３を消音材５で覆ってなるものである。
【００１２】
前記の消音材５としては、水分を吸収させやすい綿がハンマーカバー４の内壁面やハンマー軸に付着して振動に対しても安定しているので、吸音効果が優れている。実施例１において、消音掘削ハンマーの消音材として綿をハンマーカバー４の内部に充填したことを特徴とする。
【００１３】
前記の消音材５として充填する綿には水分を吸収させてあるものをハンマーカバー４の内部に充填したことを特徴とする。水分を吸収させている綿は、ハンマーカバーの内壁面やハンマー軸の表面に付着性があり、水分を吸収した綿はハンマーカバー内部の全体に渡って吸音作用がよいので金属的な不快な反響音を吸収して柔らかい低音に変化できる効果がある。
【産業上の利用可能性】
【００１４】
本考案に係る消音掘削ハンマーは、ハンマーカバーの内部に充填した消音材として綿を充填し、ハンマーカバーの内部の綿には水分を含ませることによって、綿がハンマーカバーの内部全体に密着して、掘削時の振動がハンマーカバーの外部に伝わるのを防止し、掘削音を吸音して不快な金属反響音を吸収できる。この効果のため、本考案装置は、電柱の穴掘り、支柱パイプの穴掘り、街灯の取り付け、看板の取り付け、防護斜面のＨ型鋼の埋め込み、高速道路等その他の一般道路での標識の取り付けの工事等のために穴を掘る場合に、生活環境に掛ける負荷をできるだけ軽減するために利用することができる。
【図面の簡単な説明】
【００１５】
【図１】消音掘削ハンマーの実施方法を示した説明図である。（実施例１）
【符号の説明】
【００１６】
１    掘削ハンマー
２    ハンマーの先端部に設けた掘削用の刃
３    掘削用の刃に上下振動を与えるためのバイブレーション装置
４    ハンマーカバー
５    消音材(水分を含ませている綿)
【図１】
0003136168.tif 000003
【手続補正書】
【提出日】平成19年8月13日(2007.8.13)
【手続補正１】
【補正対象書類名】実用新案登録請求の範囲
【補正対象項目名】全文
【補正方法】変更
【補正の内容】
【実用新案登録請求の範囲】
【請求項１】
パイプ状のハンマーカバー4の内部にバイブレーション装置の振動により発生する掘削音を吸収するための消音材５を充填して掘削ハンマーのバイブレーション装置３を消音材で覆ってなる消音掘削ハンマー。
【請求項２】
前記消音材は綿であることを特徴とする請求項１に記載の消音掘削ハンマー。
【請求項３】
前記消音材である綿に水分を吸収させてあることを特徴とする請求項２に記載の消音掘削ハンマー。